(57)【要約】      （修正有）【課題】重負荷時の外槽の揺動を低減し、軽負荷時の洗濯機外枠への振動伝達を抑制する。【解決手段】外槽３３の振動を減衰させるダンパ３２の両端部に設けた支持手段４０ａ、４０ｂと、外槽３３に設けた外槽支持部４２と、洗濯機外枠３０の底部３０ａに設けた脚部ダンパ支持部４１を備え、洗濯機外枠３０側の支持手段４０ａは、中心部に貫通孔を有し脚部ダンパ支持部４１の上面に当接する第１の弾性体４３ａと、第１の弾性体４３ａの貫通孔に突出部を挿入して脚部ダンパ支持部４１の下面に当接する第２の弾性体４３ｂを有し、突出部の上端部を第１の弾性体４３ａの上面側に設けたダンパ抑え４５ａの下面に当接し、第１の弾性体４３ａの上面とダンパ抑えの下面との間に隙間を設けたものである。【選択図】図１
2012000174.tif 000002
【特許請求の範囲】
【請求項１】
洗濯機外枠内に弾性支持された外槽と、前記外槽内に回転可能に設けられた洗濯兼脱水槽と、前記洗濯兼脱水槽を回転させる駆動手段と、前記外槽を下方から支持し前記外槽の振動を減衰させるダンパと、前記ダンパの両端部に設けた支持手段と、前記外槽に設け前記外槽側の支持手段を取り付ける外槽支持部と、前記洗濯機外枠の底部に設け前記洗濯機外枠側の支持手段を取り付ける脚部ダンパ支持部を備え、前記洗濯機外枠側の支持手段は、中心部に貫通孔を有し前記脚部ダンパ支持部の上面に当接する第１の弾性体と、前記脚部ダンパ支持部に設けた孔と前記第１の弾性体の貫通孔に下方から挿入する突出部を設けて前記脚部ダンパ支持部の下面に当接する第２の弾性体を有し、前記突出部の上端部を前記第１の弾性体の上面側に設けたダンパ抑えの下面に当接し、前記第１の弾性体の上面と前記ダンパ抑えの下面との間に隙間を設けた洗濯機。
【請求項２】
第１の弾性体および第２の弾性体は、外形の長さを外槽の振動が大きくなる方向に長い長形に形成した請求項１記載の洗濯機。
【請求項３】
第２の弾性体は、第１の弾性体の硬度より低い硬度に設定した請求項１または２記載の洗濯機。
【請求項４】
第２の弾性体の外側に前記第２の弾性体より硬度の高い第３の弾性体を設け、前記第３の弾性体の上面と脚部ダンパ支持部との間に隙間を設けた請求項１〜３のいずれか１項に記載の洗濯機。
【請求項５】
ダンパは、脱水回転方向が下向きとなる側のダンパと上向きとなる側のダンパを、洗濯兼脱水槽の回転中心に対して、正面から見て左右方向に離間して配設し、前記脱水回転方向が下向きとなる側のダンパの洗濯機外枠側の支持手段は、第１の弾性体または第２の弾性体のいずれか一方または両方の減衰係数を、前記上向きとなるダンパの洗濯機外枠側の支持手段の減衰係数よりも高く設定した請求項１〜４のいずれか１項に記載の洗濯機。
【発明の詳細な説明】
【技術分野】
【０００１】
本発明は、衣類等の洗濯をおこなう洗濯機に関するものである。
【背景技術】
【０００２】
従来、この種の洗濯機は、洗濯物の偏心荷重による脱水起動時の外槽の大きな揺動運動を抑えるために、外槽の重量を重くしていた（例えば、特許文献１参照）。図８は、特許文献１に記載された従来の洗濯機の構成を示すものである。本体１内に引張りばね２によって弾性支持された外槽３を設け、この外槽３内に水平に設けた回転軸を中心に回転する洗濯兼脱水槽４が回転可能に配設されている。洗濯兼脱水槽４はモータ５によって回転駆動され、外槽３の下部と本体１との間には、外槽３を下方から支持して振動を減衰するダンパ６を設けている。外槽３の下部には、外槽３の振動度合に応じて水を溜める揺動運動抑制用のタンク７が設けてあり、脱水起動時は、このタンク７に水を満たすことによって、脱水起動時の大きな揺動運動を水の重量によって抑えるようにしたものである。
【０００３】
また、洗濯機外枠と外槽との間に設けたダンパの支持手段に、柔らかいゴム製の弾性体を囲むようにダンパ抑えを設け、ダンパの揺動が大きくなると、弾性体とダンパ抑えを当接させて、外槽の揺動運動を抑えることが考えられている（例えば、特許文献２参照）。
【先行技術文献】
【特許文献】
【０００４】
【特許文献１】特開平５−１３１０７５号公報
【特許文献２】特開２００９−１８９５３８号公報
【発明の概要】
【発明が解決しようとする課題】
【０００５】
しかしながら、前記従来の構成では、外槽の大きい揺動運動を抑えるべくダンパの揺動を規制する際に、ダンパ抑えと外槽支持部または外枠支持部とが接触し、衝突による異音が発生するという課題があった。
【０００６】
本発明は、前記従来の課題を解決するもので、洗濯時や脱水起動時の重負荷時の外槽の揺動運動を重量を重くすることなく低減し、脱水定常時の軽負荷時の洗濯機外枠への振動伝達を抑制する洗濯機を提供することを目的とする。
【課題を解決するための手段】
【０００７】
前記従来の課題を解決するために、本発明の洗濯機は、外槽を下方から支持し前記外槽の振動を減衰させるダンパと、前記ダンパの両端部に設けた支持手段と、前記外槽に設け前記外槽側の支持手段を取り付ける外槽支持部と、洗濯機外枠の底部に設け前記洗濯機外枠側の支持手段を取り付ける脚部ダンパ支持部を備え、前記洗濯機外枠側の支持手段は、中心部に貫通孔を有し前記脚部ダンパ支持部の上面に当接する第１の弾性体と、前記脚部ダンパ支持部に設けた孔と前記第１の弾性体の貫通孔に下方から挿入する突出部を設けて前記脚部ダンパ支持部の下面に当接する第２の弾性体を有し、前記突出部の上端部を前記第１の弾性体の上面側に設けたダンパ抑えの下面に当接し、前記第１の弾性体の上面と前記ダンパ抑えの下面との間に隙間を設けたものである。
【０００８】
これにより、洗濯時や脱水起動時の重負荷時には第２の弾性体の変形が大きく、第１の弾性体と外槽側のダンパ抑えとが当接して、ダンパ抑えとの接触部分が多くなり、外槽の大きい揺動運動を外槽の重量を重くすることなく低減することができる。また、脱水定常
時の軽負荷時には第１の弾性体とダンパ抑えが隙間によって接触せず、第２の弾性体だけがダンパ抑えに接触するため、ダンパ抑えとの接触部分が少なくなり、洗濯機外枠への振動伝達を抑制することができる。
【発明の効果】
【０００９】
本発明の洗濯機は、重負荷時の外槽の揺動運動を重量を重くすることなく低減することができるとともに、軽負荷時の洗濯機外枠への振動伝達を抑制することができる。
【図面の簡単な説明】
【００１０】
【図１】本発明の実施の形態１における洗濯機の断面図
【図２】同洗濯機のダンパと支持手段の要部断面図
【図３】同洗濯機のダンパの洗濯機外枠側の支持手段の断面斜視図
【図４】同支持手段の第１の弾性体の斜視図
【図５】同支持手段の第２の弾性体の斜視図
【図６】本発明の実施の形態２における洗濯機のダンパの洗濯機外枠側の支持手段の断面斜視図
【図７】本発明の実施の形態３における洗濯機の正面から見た要部断面図
【図８】従来の洗濯機の断面図
【発明を実施するための形態】
【００１１】
第１の発明は、洗濯機外枠内に弾性支持された外槽と、前記外槽内に回転可能に設けられた洗濯兼脱水槽と、前記洗濯兼脱水槽を回転させる駆動手段と、前記外槽を下方から支持し前記外槽の振動を減衰させるダンパと、前記ダンパの両端部に設けた支持手段と、前記外槽に設け前記外槽側の支持手段を取り付ける外槽支持部と、前記洗濯機外枠の底部に設け前記洗濯機外枠側の支持手段を取り付ける脚部ダンパ支持部を備え、前記洗濯機外枠側の支持手段は、中心部に貫通孔を有し前記脚部ダンパ支持部の上面に当接する第１の弾性体と、前記脚部ダンパ支持部に設けた孔と前記第１の弾性体の貫通孔に下方から挿入する突出部を設けて前記脚部ダンパ支持部の下面に当接する第２の弾性体を有し、前記突出部の上端部を前記第１の弾性体の上面側に設けたダンパ抑えの下面に当接し、前記第１の弾性体の上面と前記ダンパ抑えの下面との間に隙間を設けたことにより、洗濯時や脱水起動時の重負荷時には、第２の弾性体の変形が大きく、第１の弾性体と外槽側のダンパ抑えとが当接して、ダンパ抑えとの接触部分が多くなり、外槽の大きい揺動運動を外槽の重量を重くすることなく低減することができる。また、脱水定常時の軽負荷時には、第１の弾性体とダンパ抑えが隙間によって接触せず、第２の弾性体だけがダンパ抑えに接触するため、ダンパ抑えとの接触部分が少なくなり、洗濯機外枠への振動伝達を抑制することができる。
【００１２】
第２の発明は、特に、第１の発明の第１の弾性体および第２の弾性体は、外形の長さを外槽の振動が大きくなる方向に長い長形に形成したことにより、ダンパ抑えとの接触面積を振動方向に多くすることができ、外槽の大きい揺動運動を効果的に低減することができる。
【００１３】
第３の発明は、特に、第１または第２の発明の第２の弾性体は、第１の弾性体の硬度より低い硬度に設定したことにより、脱水定常時の軽負荷時に洗濯機外枠への振動伝達を小さくすることができる。
【００１４】
第４の発明は、特に、第１〜第３のいずれか１つの発明において、第２の弾性体の外側に前記第２の弾性体より硬度の高い第３の弾性体を設け、前記第３の弾性体の上面と脚部ダンパ支持部との間に隙間を設けたことにより、洗濯時や脱水起動時の重負荷時には第１の弾性体の変形が大きく、硬度の高い第３の弾性体と脚部ダンパ支持部が接触し、第３の
弾性体と脚部ダンパ支持部との接触部分が付加されるため、外槽の大きい揺動運動を効果的に低減することができる。
【００１５】
第５の発明は、特に、第１〜第４の発明のいずれか１つの発明のダンパは、脱水回転方向が下向きとなる側のダンパと上向きとなる側のダンパを、洗濯兼脱水槽の回転中心に対して、正面から見て左右方向に離間して配設し、前記脱水回転方向が下向きとなる側のダンパの洗濯機外枠側の支持手段は、第１の弾性体または第２の弾性体のいずれか一方または両方の減衰係数を、前記上向きとなるダンパの洗濯機外枠側の支持手段の減衰係数よりも高く設定したことにより、脱水回転方向と重力の方向が一致する時に大きくなる外槽の振動をさらに抑えることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における洗濯機の断面図、図２は、同ダンパと支持手段の要部断面図、図３は、同ダンパの洗濯機外枠側の支持手段の断面斜視図、図４は、同支持手段の第１の弾性体の斜視図、図５は、同支持手段の第２の弾性体の斜視図である。
【００１８】
図１〜図５において、洗濯機外枠３０は、４本の引張りばね３１と、２本のダンパ３２によって外槽３３を弾性支持している。洗濯兼脱水槽３４は、外槽３３内に回転自在に配設している。モータ（駆動手段）３５は、ブラシレス直流モータから成り、インバータ制御され、回転速度が自在に変化できるようになっている。そして直接洗濯兼脱水槽３４を駆動する。
【００１９】
給水手段３６は、洗濯兼脱水槽３４内に洗濯水を給水する。水位検知手段３７は、給水された外槽３３内の洗濯水の水位を検知する。排水手段３８は、外槽３３内の洗濯水を排水するものである。制御装置３９は、洗濯機外枠３０内の前方下部に設けてあり、洗濯機外枠３０の前面上部に設けられた操作表示手段４９により入力された設定内容に基いて洗い、すすぎ、脱水の各工程を逐次制御するもので、パワースイッチング手段（図示せず）を介してモータ３５、給水手段３６、排水手段３８などを逐次制御する。
【００２０】
ダンパ３２は、上端に取り付けねじ部３２ｃを設けたシリンダ３２ａと、下端に取り付けねじ部３２ｄを設けたロッド３２ｂを有し、上端に外槽３３側の支持手段４０ｂを設け、下端に洗濯機外枠３０側の支持手段４０ａを設けている。洗濯機外枠３０側の支持手段４０ａは、洗濯機外枠３０の底部３０ａに設けた脚部ダンパ支持部４１に支持し、外槽３３側の支持手段４０ｂは、外槽３３の下部に設けた外槽支持部４２に支持している。
【００２１】
洗濯機外枠３０側の支持手段４０ａは、ゴム製で円筒状に形成され、中心部に貫通孔４３ｃを設けて脚部ダンパ支持部４１の上面に当接する第１の弾性体４３ａを有している。また、ゴム製で円筒状に形成され、脚部ダンパ支持部４１の孔４１ａと、第１の弾性体４３ａの貫通孔４３ｃに下方から挿入する突出部４３ｄを設けて凸状を形成し、脚部ダンパ支持部４１の下面に当接する第２の弾性体４３ｂを有している。
【００２２】
第１の弾性体４３ａは、硬度５０度で、損失係数０．７のブチルゴムを使用し、第２の弾性体４３ｂは、第１の弾性体４３ａよりも硬度の低い硬度４０度で、損失係数０．７のブチルゴムを使用している。第１の弾性体４３ａと第２の弾性体４３ｂは、脚部ダンパ支持部４１を上下方向から挟持している。
【００２３】
第２の弾性体４３ｂに設けた突出部４３ｄは、その上端部を第１の弾性体４３ａの上面側に設けたダンパ抑え４５ａの下面に当接し、第１の弾性体４３ａの上面とダンパ抑え４５ａの下面との間に隙間イを設けている。また、第１の弾性体４３ａおよび第２の弾性体４３ｂの外形の長さは、外槽３３の振動が大きくなる方向に長く楕円状に形成している。
【００２４】
ダンパ３２のロッド３２ｂに設けられた取り付けねじ部３２ｄは、ダンパ抑え４５ａが固着され、第２の弾性体４３ｂの突出部４３ｄを貫通するように上方から挿入し、第２の弾性体４３ｂの下面に当接させた金属製の支持金具４５ｂを介してナット４４により締め付けて固定されている。
【００２５】
一方、外槽３３側の支持手段４０ｂは、外槽支持部４２の上面側と下面側に弾性体４７ａと弾性体４７ｂを設け、外槽支持部４２を上下方向から挟持している。ダンパ３２のシリンダ３２ａに設けられた取り付けねじ部３２ｃを、弾性体４７ａ、４７ｂの中央に設けた支持孔と、外槽支持部４２に設けた支持孔に下方から貫通するように挿入し、弾性体４７ａの上面に当接させた金属製の支持金具４６を介してナット４４により締め付けて固定されている。
【００２６】
以上のように構成された洗濯機について、以下その動作、作用を説明する。まず、洗濯兼脱水槽３４内に洗濯物と洗剤を投入後、操作表示手段４９を操作して運転を開始する。これによって、給水手段３６が動作し、洗濯兼脱水槽３４内に洗濯水が供給されると共に洗濯兼脱水槽３４が回転を開始する。規定量の洗濯水が供給されると給水手段３６は給水を停止する。洗濯兼脱水槽３４の回転によって、洗剤は洗濯水に溶かされ、洗濯液となって衣類に浸透する。洗濯兼脱水槽３４は、３０ｒ／ｍｉｎ程度の低速で回転し、洗濯物を持ち上げては落とすという、たたき洗いを規定時間行う。
【００２７】
洗濯終了後、排水手段３８が作動し、汚れを溶かし込んだ洗濯液は、外槽３３の外に排水される。排水終了後、洗濯兼脱水槽３４の回転は徐々に速くなる。外槽３３は、洗濯兼脱水槽３４の内側に偏って付加された洗濯物の遠心力によって加振され、上下、左右に振動する。外槽３３の振動によって、外槽３３を支持するダンパ３２の角度が変化する。このとき、ダンパ３２が傾く方向の洗濯機外枠３０側の支持手段４０ａは、第１の弾性体４３ａと第２の弾性体４３ｂが圧縮され、また、外槽３３側の支持手段４０ｂの弾性体４７ａと弾性体４７ｂが圧縮される。
【００２８】
洗濯機外枠３０側の支持手段４０ａは、洗濯時や脱水起動時の重負荷時には第２の弾性体４３ｂの変形が大きく、ダンパ抑え４５ａに当接している突出部４３ｄが圧縮されて隙間イがなくなり、第１の弾性体４３ａの上面と外槽３３側のダンパ抑え４５ａとが当接する。したがって、第１の弾性体４３ａがダンパ抑え４５ａと接触して外槽３３の大きい揺動運動を効果的に低減することができる。
【００２９】
外槽３３の揺動運動は、可撓性を有する窓パッキン４８を介して洗濯機外枠３０に伝達され、洗濯機外枠３０が大きく振動したり、騒音が発生する。しかし、外槽３３の揺動運動が小さく抑えられるので、洗濯機外枠３０の振動や騒音を小さくすることができる。その後、モータ３５の回転数を規定値まで上げる。
【００３０】
洗濯兼脱水槽３４の回転が速くなると外槽３３の振動は小さくなり、第１の弾性体４３ａの変形が小さく、第１の弾性体４３ａとダンパ抑え４５ａは接触せずに第２の弾性体４３ｂの突出部４３ｄだけがダンパ抑え４５ａに接触するため、ダンパ抑え４５ａとの接触部分が少なくなり、洗濯機外枠３０への振動伝達も抑制することができる。このように脱水の起動時の揺動運動が少なくスムーズに脱水工程を進行させることができるとともに、脱水定常時の振動騒音も低減することができる。
【００３１】
また、第１の弾性体４３ａおよび第２の弾性体４３ｂの外形の長さを、外槽３３の振動が大きくなる方向に長く長形に形成したことにより、外槽３３の大きい揺動運動を効果的に低減することができる。なお、第１の弾性体４３ａおよび第２の弾性体４３ｂの外形を方形にするとダンパ抑え４５ａとの接触面積を増やすことができ、外槽３３の振動をさらに低減することができる。
【００３２】
また、第１の弾性体４３ａの硬度を、第２の弾性体４３ｂの硬度より高くしたことにより、ダンパ３２のロッド３２ｂは、硬度の低い第２弾性体４３ｂと当接するため、負荷量や、脱水起動時から定常時の外槽３３の振動の大きさにかかわらず、洗濯機外枠３０への振動伝達をさらに低減することができる。
【００３３】
以上のように本実施の形態においては、外槽３３の重量を増やすことなく確実に外槽３３の揺動運動を低減することができ、洗濯機外枠３０の振動を低減することができる。
【００３４】
（実施の形態２）
図６は、本発明の実施の形態２におけるダンパの洗濯機外枠側の支持手段の断面斜視図である。本実施の形態の特徴は、第２の弾性体４３ｂの外側に、第２の弾性体４３ｂより硬い第３の弾性体４３ｅを設け、第３の弾性体４３ｅの上面と脚部ダンパ支持部４１との間に隙間ロを設けたものである。他の構成は実施の形態１と同じであり、同一の構成に同一の符号を付して、詳細な説明は実施の形態１のものを援用する。
【００３５】
これにより、洗濯時や脱水起動時の重負荷時には第１の弾性体４３ａの変形が大きく、硬度の高い第３の弾性体４３ｅと脚部ダンパ支持部４１が当接し、第３の弾性体４３ｅと脚部ダンパ支持部４１との接触部分がプラスされるため、外槽３３の大きい揺動運動を効果的に低減することができる。
【００３６】
（実施の形態３）
図７は、本発明の実施の形態３における洗濯機の正面から見た要部断面図である。本実施の形態の特徴は、洗濯兼脱水槽３４の脱水回転方向ハが下向きとなる側のダンパ３２ｃの洗濯機外枠３０側の支持手段４０ａにおいて、第１の弾性体４３ａもしくは第２の弾性体４３ｂの片方または両方の減衰係数を、上向きとなる側のダンパ３２ｄの洗濯機外枠３０側の支持手段４０ａの減衰係数よりも高く設定したものである。他の構成は実施の形態１と同じであり、同一の構成に同一の符号を付して、詳細な説明は実施の形態１のものを援用する。
【００３７】
洗濯兼脱水槽３４の脱水回転方向ハが下向きとなる側のダンパ３２ｃと、上向きとなる側のダンパ３２ｄは、洗濯兼脱水槽３４の回転中心ニに対して、正面から見て左右方向に離間して配設している。ダンパ３２ｃと、ダンパ３２ｄの洗濯機外枠３０側の支持手段４０ａは、各々第１の弾性体４３ａと第２の弾性体４３ｂを有しており、ダンパ３２ｃの第１の弾性体４３ａと第２の弾性体４３ｂは、硬度５０度で損失係数０．９のブチルゴムを使用し、ダンパ３２ｄの第１の弾性体４３ａと第２の弾性体４３ｂは、硬度５０度で損失係数０．７のブチルゴムを使用する。
【００３８】
洗濯兼脱水槽３４の脱水回転方向ハが下向きとなる側のダンパ３２ｃの洗濯機外枠３０側の支持手段４０ａの弾性体の減衰係数を、上向きとなるダンパ３２ｄより高く設定したことにより、脱水回転方向と重力の方向が一致する時に大きくなる外槽３３の振動をさらに抑えることができる。
【産業上の利用可能性】
【００３９】
以上のように、本発明にかかる洗濯機は、重負荷時の外槽の揺動運動を重量を重くすることなく低減することができるとともに、軽負荷時の洗濯機外枠への振動伝達を抑制することができるので、洗濯機として有用である。
【符号の説明】
【００４０】
３０  洗濯機外枠
３２  ダンパ
３３  外槽
３４  洗濯兼脱水槽
３５  モータ（駆動手段）
４０ａ  洗濯機外枠側の支持手段（支持手段）
４０ｂ  外槽側の支持手段（支持手段）
４１  脚部ダンパ支持部
４２  外槽支持部
４３ａ  第１の弾性体
４３ｂ  第２の弾性体
４３ｃ  貫通孔
４３ｄ  突出部
４５ａ  ダンパ抑え
【図１】
2012000174.tif 000003
【図２】
2012000174.tif 000004
【図３】
2012000174.tif 000005
【図４】
2012000174.tif 000006
【図５】
2012000174.tif 000007
【図６】
2012000174.tif 000008
【図７】
2012000174.tif 000009
【図８】
2012000174.tif 000010